(57)【要約】【課題】輸液チューブの結束を容易としつつ、製造時の姿勢安定性を確保し、生産性に優れる通気口開閉用蓋付きの瓶針を提供すること。【解決手段】長手方向に連通する導水路２４０と、針先部分に開口し側周に設けられた通気口Ａへ連通する通気路２５０と、を有し、通気口Ａにフィルタ２８５を設け得た瓶針２００において、通気口Ａに被せて空気の連通を遮断する蓋２８２と、蓋２８２と一体成形され、蓋２８２の周縁から延伸して蓋２８２を瓶針胴部２２０に取り付けるブリッジ２８３であって、当該ブリッジ２８３には切れ込みがいれてあり、伸長させることにより、瓶針２００後端から延伸するチューブ１０２の結束を可能としたことを特徴とする瓶針２００。【選択図】図４
2013111311.tif 000002
【特許請求の範囲】
【請求項１】
長手方向に連通する液体通路と、針先部分に開口し側周に設けられた通気口へ連通する気体通路と、を有し、通気口にフィルタを設けた瓶針において、
通気口に被せて空気の導通を遮断する蓋体と、
蓋体と一体成形され、蓋体から延伸して蓋体を瓶針に取り付ける可撓性のブリッジ体と、
を具備し、
当該ブリッジ体には切れ込みがいれてあり、伸長させることにより、瓶針後端に接続される輸液チューブの結束を可能としたことを特徴とする瓶針。
【請求項２】
ブリッジ体は、非伸長時には２ｍｍ〜１０ｍｍの長さとし、伸長時には非伸長時の１．５倍〜３．０倍の長さとなるように切れ込みを設けたことを特徴とする請求項１に記載の瓶針。
【請求項３】
長手方向に連通する液体通路と、針先部分に開口し側周に設けられた通気口へ連通する気体通路と、を有し、通気口にフィルタを設けた瓶針において、
通気口に被せて空気の導通を遮断する蓋体と、
蓋体と一体成形され、蓋体から延伸して蓋体を瓶針に取り付ける可撓性のブリッジ体と、
を具備し、
蓋体側周にはブリッジ体につながる、蓋体側周に沿った切れ込みがいれてあり、伸長させることにより、瓶針後端に接続される輸液チューブの結束を可能としたことを特徴とする瓶針。
【請求項４】
通気口は、フィルタを取り付けた筒状の台座体により形成され、
台座体とブリッジ体と蓋体とが一体成形され、
台座体を瓶針胴部に設けた孔に埋入させて取り付けたことを特徴とする請求項１、２または３に記載の瓶針。
【請求項５】
長手方向に連通する液体通路と、針先部分に開口し側周に設けられた通気口へ連通する気体通路と、を有し、通気口にフィルタを設けた瓶針において、
通気口に被せて空気の導通を遮断する蓋体と、
蓋体と一体成形され、蓋体から延伸した先が円環形状であって瓶針に挿通して蓋体を瓶針に取り付ける可撓性のブリッジ体と、
を具備し、
円環には、前記延伸部分につながる、円環側周に沿った切れ込みがいれてあり、伸長させることにより、瓶針後端に接続される輸液チューブの結束を可能としたことを特徴とする瓶針。
【請求項６】
請求項１〜５のいずれか一つに記載の瓶針を備えたことを特徴とする輸液セット。
【発明の詳細な説明】
【技術分野】
【０００１】
本発明は、瓶針および輸液セットに関し、特に、製造ラインに影響を与えず使用後等のチューブ始末の作業性を向上する瓶針およびこれを備えた輸液セットに関する。
【背景技術】
【０００２】
輸液セットを用いる場合は、輸液バッグ等から輸液を流出させるための輸液チューブが用いられる。その長さは短いもので１ｍ、長いもので２ｍ程ある。また、使用に際しては、瓶針が輸液バッグ等に差し込まれ、後端の輸液チューブへと輸液が誘導される。
【０００３】
ここで、瓶針の中には、胴の中途に通気口が設けられ、その蓋の開閉により、輸液を一時中断したり、輸液バッグを複数接続するときなどの輸液誘導を円滑にしたりするものが知られている。
【０００４】
このとき、蓋と瓶針胴部を連結する紐状部分（ブリッジ体）を利用して長い輸液チューブを束ね取扱性を向上させる利用がなされている（図８）。
【０００５】
しかしながら、従来の技術では以下の問題点があった。
瓶針を製造する際、ブリッジ体が長くなるほど蓋が踊り、瓶針の姿勢が不安定となって輸液チューブを瓶針本体に接合する際に姿勢が安定しないといった不具合が生じる場合があった。一方、蓋でなくコックを備えた瓶針とすることもできるが、コック機構の付加による製造工程の複雑化、結束具などの別途の付加が必要となるなど、製造コストの増加を招来してしまうという問題点があった。
【先行技術文献】
【特許文献】
【０００６】
【特許文献１】特開２００１−３７８７６
【特許文献２】特開２００２−２５３６６９
【発明の概要】
【発明が解決しようとする課題】
【０００７】
本発明は上記に鑑みてなされたものであって、輸液チューブの結束を容易としつつ、製造時の姿勢安定性を確保し、生産性に優れる通気口開閉用蓋付きの瓶針を安価に提供することを目的とする。また、当該瓶針を備えた輸液セットを提供することを目的とする。
【課題を解決するための手段】
【０００８】
請求項１に記載の瓶針は、長手方向に連通する液体通路と、針先部分に開口し側周に設けられた通気口へ連通する気体通路と、を有し、通気口にフィルタを設けた瓶針において、通気口に被せて空気の導通を遮断する蓋体と、蓋体と一体成形され、蓋体から延伸して蓋体を瓶針に取り付ける可撓性のブリッジ体と、を具備し、当該ブリッジ体には切れ込みがいれてあり、伸長させることにより、瓶針後端に接続される輸液チューブの結束を可能としたことを特徴とする。
【０００９】
すなわち、請求項１に係る発明は、輸液チューブの結束を容易としつつ、製造時の姿勢安定性を確保し、生産性に優れる通気口開閉用蓋付きの瓶針を安価に提供することが可能となる。なお、使用に際しては、輸液チューブを円形に巻き、複数本となった束をまとめるように利用する。
【００１０】
被せるとは、必ずしも通気口より大きな蓋で外側から勘合させるのみでなく、通気口内側にはめる態様も含むものとする。針先部分とは、広く針先側を意味し、必ずしも先細りとなった部分に設けられることに限定されない。また、切れ込みは、幅方向に互い違いに切れ目をいれても長さ方向に互い違いに切れ目をいれてもよく、また、螺旋状に切れ目をいれた管により構成されていてもよい。すなわち、所定の引っ張り力により展開・伸長する態様であれば特にその形状は限定されない。また、切れ込みは、部材に溝が設けてあり引っ張ることで部材が分離する場合と、切れ込み部分で部材が相互に分離している場合と、いずれの態様も含むものとする。また、可撓性は、素材自体が有する場合のほか、ブリッジ体の形状により可撓性を発揮する態様も含まれるものとする。なお、伸長させる観点から、単なるひも状でなく、蓋体の径程度の幅広の帯状のブリッジ体としてもよい。
【００１１】
なお、瓶針の素材としては、ポリプロピレンをあげることができる。同様に蓋体やブリッジ体もポリプロピレンとすることができる。ブリッジ体は、瓶針胴部や凸設された通気口の横から直接延伸させるようにしてもよい。この場合は、蓋体も含めて瓶針を押出成形により一体形成できる。
【００１２】
請求項２に記載の瓶針は、請求項１に記載の瓶針において、ブリッジ体は、非伸長時には２ｍｍ〜１０ｍｍの長さとし、伸長時には非伸長時の１．５倍〜３．０倍の長さとなるように切れ込みを設けたことを特徴とする。
【００１３】
すなわち、請求項２に係る発明は、ブリッジ体を非結束時には製造ラインに影響を与えない程度に短くでき、結束時には好適に伸長させて効果的な結束を実現できる。
【００１４】
請求項３に記載の瓶針は、長手方向に連通する液体通路と、針先部分に開口し側周に設けられた通気口へ連通する気体通路と、を有し、通気口にフィルタを設けた瓶針において、通気口に被せて空気の導通を遮断する蓋体と、蓋体と一体成形され、蓋体から延伸して蓋体を瓶針に取り付ける可撓性のブリッジ体と、を具備し、蓋体側周にはブリッジ体につながる、蓋体側周に沿った切れ込みがいれてあり、伸長させることにより、瓶針後端に接続される輸液チューブの結束を可能としたことを特徴とする。
【００１５】
すなわち、請求項３に係る発明は、輸液チューブの結束を容易としつつ、製造時の姿勢安定性を確保し、生産性に優れる通気口開閉用蓋付きの瓶針を安価に提供することが可能となる。特に、非伸長時のブリッジ体は、蓋の開閉に資する程度の長さまで短くすることができるので、姿勢安定性が特に高まる。一方、伸長長さは、適宜蓋体の径の増減により調整することができる。なお、使用に際しては、輸液チューブを円形に巻き、複数本となった束をまとめるように利用する。
【００１６】
被せるとは、必ずしも通気口より大きな蓋で外側から勘合させるのみでなく、通気口内側にはめる態様も含むものとする。針先部分とは、広く針先側を意味し、必ずしも先細りとなった部分に設けられることに限定されない。また、切れ込みは、螺旋状に複数周にわたって形成されていても良い。また、切れ込みは、部材に溝が設けてあり引っ張ることで部材が分離する場合と、切れ込み部分で部材が相互に分離している場合と、いずれの態様も含むものとする。すなわち、所定の引っ張り力により展開・伸長する態様であれば特にその形態は限定されない。可撓性は、素材自体が有する場合のほか、ブリッジ体の形状により可撓性を発揮する態様も含まれるものとする。
【００１７】
なお、瓶針の素材としては、ポリプロピレンをあげることができる。同様に蓋体やブリッジ体もポリプロピレンとすることができる。ブリッジ体は、瓶針胴部や凸設された通気口の横から直接延伸させるようにしてもよい。この場合は、蓋体も含めて瓶針を押出成形により一体形成できる。
【００１８】
請求項４に記載の瓶針は、請求項１、２または３に記載の瓶針において、通気口は、フィルタを取り付けた筒状の台座体により形成され、台座体とブリッジ体と蓋体とが一体成形され、台座体を瓶針胴部に設けた孔に埋入させて取り付けたことを特徴とする。
【００１９】
すなわち、請求項４に係る発明は、通気口部分を瓶針胴体と別に製造することができ、輸液チューブの太さや長さに応じて、結束長さを変えた多種の瓶針を提供可能となる。また、金型の簡素化やフィルタ取り付けも含めて製造工程の実質的な効率化を図り、生産性をより高めることも可能となる。
【００２０】
請求項５に記載の瓶針は、長手方向に連通する液体通路と、針先部分に開口し側周に設けられた通気口へ連通する気体通路と、を有し、通気口にフィルタを設けた瓶針において、通気口に被せて空気の導通を遮断する蓋体と、蓋体と一体成形され、蓋体から延伸した先が円環形状であって瓶針に挿通して蓋体を瓶針に取り付ける可撓性のブリッジ体と、を具備し、円環には、前記延伸部分につながる、円環側周に沿った切れ込みがいれてあり、伸長させることにより、瓶針後端に接続される輸液チューブの結束を可能としたことを特徴とする。
【００２１】
すなわち、請求項５に係る発明は、輸液チューブの結束を容易としつつ、製造時の姿勢安定性を確保し、生産性に優れる通気口開閉用蓋付きの瓶針を安価に提供することが可能となる。特に、非伸長時のブリッジ体は、蓋の開閉に資する程度の長さまで短くすることができるので、姿勢安定性が特に高まる。一方、伸長長さは、適宜円環の厚み等の増減により調整することができる。なお、使用に際しては、輸液チューブを円形に巻き、複数本となった束をまとめるように利用する。
【００２２】
被せるとは、必ずしも通気口より大きな蓋で外側から勘合させるのみでなく、通気口内側にはめる態様も含むものとする。針先部分とは、広く針先側を意味し、必ずしも先細りとなった部分に設けられることに限定されない。また、切れ込みは、螺旋状に複数周にわたって形成されていても良い。また、切れ込みは、部材に溝が設けてあり引っ張ることで部材が分離する場合と、切れ込み部分で部材が相互に分離している場合と、いずれの態様も含むものとする。すなわち、所定の引っ張り力により展開・伸長する態様であれば特にその形態は限定されない。可撓性は、素材自体が有する場合のほか、ブリッジ体の形状により可撓性を発揮する態様も含まれるものとする。
【００２３】
なお、瓶針の素材としては、ポリプロピレンをあげることができる。同様に蓋体やブリッジ体もポリプロピレンとすることができる。また、円環は、瓶針の胴に挿通することのほか、通気口が瓶針の胴から凸設している場合には、その首に挿通させるようにしても良い。
【００２４】
請求項６に記載の輸液セットは、請求項１〜５のいずれか一つに記載の瓶針を備えたことを特徴とする。
【００２５】
すなわち、請求項６に係る発明は、後始末等の容易な輸液セットを提供可能となる。
【発明の効果】
【００２６】
本発明によれば、輸液チューブの結束を容易としつつ、製造時の姿勢安定性を確保し、生産性に優れる通気口開閉用蓋付きの瓶針を安価に提供することができる。また、当該瓶針を備えた輸液セットを提供することが可能となる。
【図面の簡単な説明】
【００２７】
【図１】本発明の瓶針を備えた輸液セットの概念図である。
【図２】実施の形態１の瓶針の外観図および断面図である。
【図３】図２に示した瓶針の通気口部分の構成例およびその伸長例を示した説明図である。
【図４】図２に示した瓶針により輸液チューブを結束した様子を示した外観図である。
【図５】実施の形態１の通気口部分の他の構成例を示した斜視図である。
【図６】実施の形態２の通気口部分の構成例およびその伸長例を示した説明図である。
【図７】実施の形態３の通気口部分の構成例およびその伸長例を示した説明図である。
【図８】従来のブリッジ体を利用した輸液チューブの結束前後の様子を示した説明図である。
【発明を実施するための形態】
【００２８】
以下、本発明の実施の形態を図面を参照しながら詳細に説明する。
＜実施の形態１＞
実施の形態１では、ブリッジ体（蓋体から延伸する部分）が伸長する態様について説明する。
図１は、本発明の瓶針を備えた輸液セットの概念図である。図２は、実施の形態１の瓶針の外観図（ａ）および断面図（ｂ）である。なお、説明の便宜上通気口体は、瓶針本体から外した様子を示している。図３は、図２に示した通気口部分の構成例およびその伸長例を示した説明図である。図４は、図２に示した瓶針により輸液チューブを結束した様子を示した外観図である。
【００２９】
輸液セット１００は、図１に示したように、瓶針２００と、点滴液が貯留された輸液バッグ１０１と、チューブ１０２と、患者Ｃの静脈（腕）に穿刺する静脈針１０３とを含んでいる。また、チューブ１０２途中には、点滴液の流量を目視にて確認可能にする点滴筒１０４と、点滴液の流量調整を行うためのクランプ１０５とが存在している。
【００３０】
輸液バッグ１０１はスタンドＳに吊され、重力により点滴液が瓶針２００を介してチューブ１０２を通り、患者Ｃの体内へ移送される。
【００３１】
瓶針２００は、先端が尖ったやや太い針形状であり、輸液容器等に突き刺す穿刺部２１０と、胴部２２０と、基端側の鍔部２３０と、から構成され、これらはこの順に一体的に形成されている。また瓶針２００は、胴部２２０に嵌め込む通気口体２８０を有し、通気口体２８０により通気口Ａが形成される。本実施の形態では、瓶針２００は、射出成形によるポリプロピレン製であるものとして説明する。
【００３２】
穿刺部２１０は、先端側に向かって尖っており、側面長手方向の二箇所に導水溝２１１が形成され、内部に空けられた導水路２４０に案内されている。すなわち、導水溝２１１部分が針先側（穿刺側）の開口端を形成し、ここから輸液等が鍔部２３０に接続されるチューブ１０２へと導通される。
【００３３】
穿刺部２１０には、側面長手方向にもう一本、導水溝２１１とは別の通気溝２１２が形成され、内部に空けられた通気路２５０に案内されている。導水路２４０は、通気路２５０と干渉せず、胴部２２０に至っている。
【００３４】
胴部２２０は、円筒形状であって、通気口体２８０の下端を埋入する孔部２２１を備えている。孔部２２１は、通気路２５０に連通している。すなわち、通気路２５０は、後述の蓋２８２で閉じられていないとき、孔部２２１を介して胴部２２０側から空気を取り込み、通気溝２１２を介してその空気を輸液バッグ１０１へ放出する。
【００３５】
鍔部２３０は、円盤形状であり、下部には円柱状の差込管２３１が設けられている。輸液を送出するチューブ１０２は、この差込管２３１に差し込まれる。鍔部２３０により、瓶針２００を輸液容器等に差し込む際の保持性が向上する。
【００３６】
通気口体２８０は、図３（ａ）に示したように、台座２８１と蓋２８２とブリッジ２８３からなり、これらはポリプロピレン製で一体成形されている。
【００３７】
台座２８１は、胴部２２０へ向かって凸である二段の円筒形状であり、下段円筒２８１ｄは孔部２２１に密に勘合して接合し、上段円筒２８１ｕの側周からブリッジ２８３が延伸している。フィルタ２８５は、台座２８１の内側における、上段円筒２８１ｕと下段円筒２８１ｄの境界に形成される穴あき円面部分２８１ｓに貼着される。台座２８１の嵌め込みにより通気口Ａが形成される。なお、フィルタ２８５は、ＰＴＦＥ製の疎水膜を用いることができる。
【００３８】
蓋２８２は、台座２８１の上段円筒２８１ｕの内周に勘合する内筒体２８２ｋが、円盤体２８２ｓに立設した形状を有する。また、蓋２８２の側周からブリッジ２８３が延伸している。蓋２８２は、適宜台座２８１に被せて空気の流入を遮断する。ブリッジ２８３は可撓性を有しているため、蓋２８２を閉めたときには弧を描く。なお、蓋２８２のブリッジ２８３の延伸位置に対向する側周には、蓋２８２を台座２８１から外すとき（通気口Ａを開放するとき）に便利なように、爪２８２ｔが形成されている。
【００３９】
ブリッジ２８３は、図２（ｂ）、図３（ａ）に示したように蓋２８２の直径と同じ長さであり、円盤体２８２ｓと同じ厚みを有する長方形の接続部材として形成されている。ブリッジ２８３には、短手方向に互い違いに幅の３／４の長さの切込２８３ｃが複数いれてある。
【００４０】
蓋２８２を引っ張ることにより、切込２８３ｃが展開し、チューブ１０２の結束が可能となり、後始末等の作業性が向上する（図４）。なお、非結束時は、瓶針２００の胴部２２０の直近に蓋２８２が位置するため、製造時、例えば、チューブ１０２の差込管２３１への挿入接着作業における整列やピックアップの際に、安定した姿勢を保つことができ、脱落等による製造ミスの発生を抑制することができる。
【００４１】
なお、切込２８３ｃの態様は上記に限定されない。長方形の長手方向互い違いに切れ込みをいれてもよく（図３（ｂ））、ブリッジ２８３を管状に形成し、螺旋状に切れ込みをいれてもよい（図３（ｃ））。また、ブリッジ２８３の長さや厚みは適宜変更することができ、長さに関しては、非伸長時には２ｍｍ〜１０ｍｍの長さとし、伸長時には非伸長時の１．５倍〜３．０倍となるような切れ込みとすることが、蓋２８２の被せやすさと製造時の安定性等の観点から好適である。
【００４２】
また、図５に示しように、通気口体２８０を別体とすることなく、胴部２２０から直接延伸させるようにしても良い。この場合は、台座２８１はないが、孔部２２１に蓋２８２を被せられる構成とすればよい。
【００４３】
以上説明したように、実施の形態１の瓶針によれば、ブリッジを伸長することにより輸液チューブを簡便に束ねることができ、ブリッジの非伸長時には、蓋が瓶針胴部近傍にあって暴れないので製造時の姿勢安定性が確保でき、生産性を向上させることができる。また、通気口部と瓶針本体を別々に製造する場合であっても、押出成形によりそれぞれ製造でき、通気口部の金型を多種揃えることにより、所望長さのブリッジを提供できるので、金型の複雑化も招来しない。また、通気口部を瓶針本体と別々に製造する場合には、フィルタの取り付け作業の自由度も高まるので、全体として瓶針を安価に提供することができる。
【００４４】
＜実施の形態２＞
実施の形態２では、蓋体の周縁が伸長する態様について説明する。
なお、実施の形態１と同様な部分については同一の符号を適宜付して説明する。
【００４５】
図６は、実施の形態２の瓶針の通気口部分の構成例およびその伸長例を示した説明図である。瓶針３００（全体像は図示せず）は、通気口体３８０により通気口Ａが形成され、図示したように、台座３８１と蓋３８２とブリッジ３８３からなり、これらはポリプロピレン製で一体成形されている。
【００４６】
台座３８１は、実施の形態１の台座２８１と同様の構成である。ブリッジ３８３は、蓋３８２を台座３８１に被せ、通気口Ａの空気の導通を遮蔽するのに支障がない最小長さとしている。図では蓋３８２の内筒体３８２ｋの半径の長さとしているが、実際の長さは、適宜２ｍｍ〜１０ｍｍとすることができる。
【００４７】
蓋３８２は、台座３８１の上段円筒３８１ｕの内周に勘合する内筒体３８２ｋが、円盤体３８２ｓに立設した形状を有する。また、蓋３８２の側周からブリッジ３８３が延伸している。
【００４８】
ここで、円盤体３８２ｓには、側周に沿って螺旋状に切込３８３ｃがいれてあり、先端はブリッジ３８３に連続するように形成されている。これにより、蓋３８２を引っ張ることで、ブリッジ３８３部分が実質的に伸長し、チューブ１０２を結束することができる。なお、伸長長さは、適宜円盤体３８２ｓの径を大きくすることにより、任意に設定できる。
【００４９】
瓶針３００は、ブリッジ３８３自体を伸長させないため、瓶針２００より、ブリッジの長さを短くでき、製造時等の姿勢安定性がより向上し、製造ミスの発生を一層抑制することができる。
【００５０】
なお、図示は省略するが、図５に示したのと同様、通気口体３８０を別体とすることなく、胴部２２０から直接延伸させるようにすることもできる。
【００５１】
＜実施の形態３＞
実施の形態３では、ブリッジ体の先端の円環が伸長する態様について説明する。
なお、実施の形態１と同様な部分については同一の符号を適宜付して説明する。
【００５２】
図７は、実施の形態３の瓶針の通気口部分の構成例およびその伸長例を示した説明図である。瓶針４００は、瓶針胴部２２０に円筒形に突き出た通気口Ａが形成されている。
【００５３】
蓋４８２の縁にはブリッジ４８３が接続し、他端には通気口Ａの首に架ける円環４８４が形成され、これらは一体成形されている。ブリッジ４８３は、円環４８４を通気口Ａに被せ、空気の導通を遮蔽するのに支障がない最小長さとしている。図では蓋４８２の直径程度の長さとしているが、実際の長さは、適宜２ｍｍ〜１０ｍｍとすることができる。
【００５４】
ここで、円環４８４には、側周に沿って螺旋状に切込４８４ｃがいれてあり、先端はブリッジ４８３に連続するように形成されている。これにより、蓋４８２を引っ張ることで、ブリッジ４８３部分が実質的に伸長し、チューブ１０２を結束することができる。なお、伸長長さは、適宜円環４８４の外径を大きくすることにより、任意に設定できる。
【００５５】
瓶針４００は、ブリッジ４８３自体を伸長させないため、瓶針２００より、ブリッジの長さを短くでき、製造時等の姿勢安定性がより向上し、製造ミスの発生を一層抑制することができる。
【産業上の利用可能性】
【００５６】
本発明によれば、ブリッジ自体またはブリッジに連続する部分を伸長させることができ、製造単価の上昇を招来することなく、操作性の良い瓶針を提供可能となる。従って、輸液セットの取扱性が向上し、排気等の効率化を図ることができる。
【符号の説明】
【００５７】
１００  輸液セット
１０１  輸液バッグ
１０２  チューブ
１０３  静脈針
１０４  点滴筒
１０５  クランプ
２００、３００、４００          瓶針
２１０  穿刺部
２１１  導水溝（液体通路）
２１２  通気溝（気体通路）
２２０  胴部
２２１  孔部
２３０  鍔部
２３１  差込管
２４０  導水路
２５０  通気路
２８０、３８０           通気口体
２８１、３８１           台座
２８１ｄ          下段円筒
２８１ｓ          円面部分
２８１ｕ          上段円筒
２８２、３８２、４８２          蓋
２８２ｋ、３８２ｋ     内筒体
２８２ｓ、３８２ｓ     円盤体
２８２ｔ          爪
２８３、３８３、４８３          ブリッジ
２８３ｃ、３８３ｃ     切込
２８５  フィルタ
４８４  円環
４８４ｃ          切込
Ａ        通気口
【図１】
2013111311.tif 000003
【図２】
2013111311.tif 000004
【図３】
2013111311.tif 000005
【図４】
2013111311.tif 000006
【図５】
2013111311.tif 000007
【図６】
2013111311.tif 000008
【図７】
2013111311.tif 000009
【図８】
2013111311.tif 000010